(57)【要約】【課題】一台の陳列機構で２種類の物品陳列形態をとることができ、一人でも迅速に変形作業を行うことができる物品陳列機構を提供する。【解決手段】二つ折りに折畳み可能に形成された一対の天板４と、天板４が略鉛直に配置された状態で、略水平方向に突出して取り付けられる棚板１６を装着可能なブラケット支持部材７と、天板４を夫々支持する一対の脚部５と、一連のリンク機構によって構成され、一対の脚部５が回動可能に連結され、天板４の状態に拘わらず脚部５を略鉛直な状態に支持するとともに、天板４が展開された状態で、略水平状態を保持し、天板４が二つ折りに折畳まれた状態で、天板４を略鉛直状態に配置する天板折畳み機構６とを備え、天板４は、展開状態で、平台状の陳列台の天板４として機能し、折畳み状態で、棚板１６を係止するブラケットを装着させるブラケット支持板として機能する。【選択図】    図２
2006217992.tif 000002
【特許請求の範囲】
【請求項１】
二つ折りに折畳み可能に形成された一対の天板と、
少なくとも前記一対の天板のいずれか一方に備えられ、前記天板が略鉛直に配置された状態で、略水平方向に突出して取り付けられる物品展示部材を係止するブラケットを装着可能なブラケット支持部材と、
前記一対の天板を夫々支持する一対の脚部と、
一連のリンク機構によって構成され、前記一対の脚部が回動可能に連結され、前記天板の状態に拘わらず前記脚部を略鉛直な状態に支持するとともに、前記一対の天板が展開された展開状態で、前記天板の略水平状態を保持し、前記天板が二つ折りに折畳まれた折畳み状態で、前記天板を略鉛直状態に配置する天板折畳み機構とを備え、
前記天板は、前記展開状態で、平台状の陳列台の天板として機能し、前記折畳み状態で、前記ブラケットを支持するブラケット支持板として機能する
ことを特徴とする物品陳列機構。
【請求項２】
前記ブラケット支持部材は、両方の前記天板に備えられている
ことを特徴とする請求項１に記載の物品陳列機構。
【請求項３】
前記ブラケット支持部材には、前記ブラケットを任意の高さに装着させる複数の被装着部が備えられている
ことを特徴とする請求項１または請求項２に記載の物品陳列機構。
【請求項４】
前記ブラケット支持部材は、前記天板に埋設され、前記ブラケットを係止可能な被係止孔が穿設されている
ことを特徴とする請求項１乃至請求項３の少なくともいずれか一つに記載の物品陳列機構。
【請求項５】
前記天板には、前記展開された状態で、前記天板上に載置された物品のこぼれ落ちを防止するこぼれ防止柵を装着させるための柵装着部がさらに備えられている
ことを特徴とする請求項１乃至請求項４の少なくともいずれか一つに記載の物品陳列機構。
【請求項６】
二つ折りに折畳み可能に形成された一対の天板と、
該天板に備えられ、物品のこぼれ落ちを防止するこぼれ防止柵を装着させるための柵装着部と、
両方の前記天板に埋設され、前記天板が略鉛直に配置された状態で、略水平方向に突出して取り付けられる物品展示部材を係止するブラケットを、任意の高さに装着させる複数の被係止孔が備えられているブラケット支持部材と、
前記一対の天板を夫々支持する一対の脚部と、
前記天板に接続され、前記脚部を回動可能に支持し、互いに展開可能に連結された一対の天板連結部材、一端側が該天板連結部材に対して軸支され、略鉛直方向に伸縮可能に構成された第一ステー部材、該第一ステー部材及び前記脚部に回動可能に連結され、前記一対の脚部を互いに略平行な状態に保持し、前記第一ステー部材との協働で前記天板の状態に拘わらず前記脚部を略鉛直な状態に保持する一対の第二ステー部材、及び前記第一ステー部材及び前記天板連結部材に回動可能に連結され、前記天板が展開された状態で、前記第二ステー部材との協働で、前記天板を略水平な状態に保持し、前記天板が折畳まれた状態で、前記第一ステー部材及び前記第二ステー部材との協働で、前記天板を略鉛直な状態に保持する第三ステー部材を有する天板折畳み機構と、
前記第一ステー部材と前記第三ステー部材との連結部に備えられ、前記一対の天板が前記展開された状態を保持するためのロック機構とを有し、
前記天板は、前記展開された状態で、平台状の陳列台の天板として機能し、前記折畳まれた状態で、前記ブラケットを支持するブラケット支持板として機能する
ことを特徴とする物品陳列機構。
【発明の詳細な説明】
【技術分野】
【０００１】
本発明は、物品を展示するための物品陳列機構に関し、特に、二種類の物品陳列形態を取り得る物品陳列機構に関するものである。
【背景技術】
【０００２】
従来、商店やデパート等において商品などの物品を展示する場合に用いられる商品陳列機構には、多様な種類のものが知られている。例えば、同種の商品を多数積み上げて平面的に配置することのできる、所謂バーゲンワゴンや、多様な種類の小物などを個別且つ立体的に陳列することのできる、多段棚状の陳列機構などが挙げられる。
【０００３】
ところで、例えばこうした各種の物品陳列機構を商品陳列機構として利用する場合は、譬え同じ売り場であっても、展示する商品の内容や時期、店舗レイアウトの変更などに伴って、適宜入れ替えられることがある。例えば、通常の販売シフトでは、顧客が個々の商品を簡単に取り出せる多段棚状の陳列機構を使用するが、歳末や感謝セールなどの期間限定の大安売りに際しては、バーゲンワゴンに代表されるような平台状の陳列機構が頻繁に必要とされる場合などが考えられる。一方、商品の種類に注目すると、平台状の陳列機構は、洋服や果物など比較的安価で積み重ねが容易な物品を展示するのに適しているが、多段棚状の陳列機構では、バッグや小物など個別に整然と並べる必要のあるものを展示するのにより適している。従って、商品を陳列する側は、目的に応じて臨機応変に展示内容を変更できるよう、多様な種類の陳列機構を常時ストックしておく必要がある。
【０００４】
しかし、前述のように、多様な種類の商品陳列機構を常時ストックしておくことは、限りある倉庫のスペースを浪費することになり、また管理も非常に手間である。そこで、特許文献１に示すように、必要に応じて一つの販売台を棚状陳列機構から平台状陳列機構へと変形させ、商品の陳列形態を適宜変更できるようにしたものが提案されている。
【特許文献１】実開昭６３−１８７９５９号公報
【発明の開示】
【発明が解決しようとする課題】
【０００５】
ところが、特許文献１によれば、陳列機構を変形させるのには比較的手間がかかるという問題があった。すなわち、棚状陳列機構から平台状陳列機構へと変形させるには、まず、棚板を取り外し、次いで棚板を支持するブラケットを取り外し、棚の背面板の上側部分を下側部分から分離させる。そして、背面板の下側部分の上端に、前述の背面板上側部分を水平方向に取り付け、背面板下側部分と、上側部分と、陳列機構のメインフレームとで断面コの字型状の陳列台を形成する。この状態で、水平方向に取り付けられた背面板上側部分の上面に商品を陳列し、平台状の陳列機構を形成するものであるが、このままでは背面板上側部分が不安定である（断面コの字型のため、背面板下側部分に接続されていない開放側が加重に耐えられない）ため、さらに背面板上側と陳列機構のメインフレームとの間に支柱を挿入し、工具等を用いてビス止めする必要が生じていた。
【０００６】
かかる変形作業は比較的時間がかかり、また、支柱やビス、及び工具など必要となる部品が多くなるため非常に面倒であった。特に、短時間指定の限定セール（例えば、１５：００〜１６：００限定の食品大売出しなど）のような販売セールにおいては、その日の客層や天候、商品の売れ行き等を考慮して臨機応変な販売形態の変更が要求され、顧客のニーズに十分に応えるためには、迅速に変形作業を行うことが急務である。このような場合には、複数人で一台の陳列機構の変形作業を執り行う必要などが生じ、極めて非効率的であった。
【０００７】
そこで、本発明は、上記の実状に鑑み、一台の陳列機構で２種類の物品陳列形態をとることを可能とし、一人でも迅速に変形作業を行うことができる物品陳列機構の提供を課題とする。
【課題を解決するための手段】
【０００８】
本発明に係る物品陳列機構は、「二つ折りに折畳み可能に形成された一対の天板と、少なくとも前記一対の天板のいずれか一方に備えられ、前記天板が略鉛直に配置された状態で、略水平方向に突出して取り付けられる物品展示部材を係止するブラケットを装着可能なブラケット支持部材と、前記一対の天板を夫々支持する一対の脚部と、一連のリンク機構によって構成され、前記一対の脚部が回動可能に連結され、前記天板の状態に拘わらず前記脚部を略鉛直な状態に支持するとともに、前記一対の天板が展開された展開状態で、前記天板の略水平状態を保持し、前記天板が二つ折りに折畳まれた折畳み状態で、前記天板を略鉛直状態に配置する天板折畳み機構とを備え、前記天板は、前記展開状態で、平台状の陳列台の天板として機能し、前記折畳み状態で、前記ブラケットを支持するブラケット支持板として機能する」ものである。
【０００９】
本発明の物品陳列機構によれば、天板折畳み機構が備えられていることによって、一対の天板が、展開された状態において水平な状態に保持され、また、二つ折りに折畳まれた状態において、天板と脚部とが略鉛直状態に配置される。従って、天板を展開した状態で、平台状の陳列機構として利用できるばかりではなく、天板を折畳んだ状態において、天板にブラケットを介して棚板等の物品展示部材を取り付けることで、棚状の物品陳列機構としても利用できる。これにより、一台の物品陳列機構を用いて２種類の物品陳列形態を提供できる。
【００１０】
また、本発明の構成によれば、天板折畳み機構は、一連のリンク機構によって構成されている。従って、一度の動作で、一連の天板折畳みまたは展開動作（以下、「変形作業」という）を行うことができ、一人でも簡単に操作することができる。さらに、工具や追加の部材を使用して変形作業を行う必要もない。
【００１１】
ところで、本発明の物品陳列機構において、「前記ブラケット支持部材は、両方の前記天板に備えられている」ものとすることができる。
【００１２】
本発明の物品陳列機構によれば、一対の天板の双方に棚板支持部材が備えられるため、一台の物品陳列機構において展示できる物品の量が増大する。一方、両方の天板のいずれにもブラケットが取り付けられることにより、物品陳列機構の配置状態にも制約が少なく、また、物品の陳列形態（所謂レイアウト）のバリエーションを飛躍的に向上させることができる。
【００１３】
また、本発明の物品陳列機構において、「前記ブラケット支持部材には、前記ブラケットを任意の高さに装着させる複数の被装着部が備えられている」ものとすることができる。
【００１４】
本発明の物品陳列機構によれば、複数の被装着部が備えられているため、ブラケットの設置高さを任意に調節できる。従って、棚板等の載置高さを自由に選択でき、展示できる物品の大きさや形状に比較的制約が少なく、物品レイアウトのバリエーションをさらに向上させることができる。
【００１５】
さらに、本発明の物品陳列機構において、「前記ブラケット支持部材は、前記天板に埋設され、前記ブラケットを係止可能な被係止孔が穿設されている」ものとすることができる。
【００１６】
本発明の物品陳列機構によれば、天板を展開した状態において、ブラケット支持部材が埋設されていることにより天板上に突出しない。つまり、平台状に展開された状態での天板の表面が、凹凸のない滑らかな状態で形成されているため、物品を展示または取り出す際に邪魔なものがなく、展示者及び閲覧者（顧客など）の双方にとって便利である。
【００１７】
ところで、本発明の物品陳列機構において、「前記天板には、前記展開された状態で、前記天板上に載置された物品のこぼれ落ちを防止するこぼれ防止柵を装着させるための柵装着部がさらに備えられている」ものとすることができる。
【００１８】
本発明の物品陳列機構によれば、天板に柵装着部がさらに備えられているため、展開状態において、物品のこぼれ落ちを防止するこぼれ防止柵を取り付けることが可能となる。従って、天板を展開した状態で、比較的大量の物品を積み上げるような場合であっても、天板上から物品がこぼれ落ちる心配が少なく、また、比較的転がりやすい形状の物品でも、安易に天板上に載置させておくことができ、より便利である。
【００１９】
本発明に係る物品陳列機構は、「二つ折りに折畳み可能に形成された一対の天板と、該天板に備えられ、物品のこぼれ落ちを防止するこぼれ防止柵を装着させるための柵装着部と、両方の前記天板に埋設され、前記天板が略鉛直に配置された状態で、略水平方向に突出して取り付けられる物品展示部材を係止するブラケットを、任意の高さに装着させる複数の被係止孔が備えられているブラケット支持部材と、前記一対の天板を夫々支持する一対の脚部と、前記天板に接続され、前記脚部を回動可能に支持し、互いに展開可能に連結された一対の天板連結部材、一端側が該天板連結部材に対して軸支され、略鉛直方向に伸縮可能に構成された第一ステー部材、該第一ステー部材及び前記脚部に回動可能に連結され、前記一対の脚部を互いに略平行な状態に保持し、前記第一ステー部材との協働で前記天板の状態に拘わらず前記脚部を略鉛直な状態に保持する一対の第二ステー部材、及び前記第一ステー部材及び前記天板連結部材に回動可能に連結され、前記天板が展開された状態で、前記第二ステー部材との協働で、前記天板を略水平な状態に保持し、前記天板が折畳まれた状態で、前記第一ステー部材及び前記第二ステー部材との協働で、前記天板を略鉛直な状態に保持する第三ステー部材を有する天板折畳み機構と、前記第一ステー部材と前記第三ステー部材との連結部に備えられ、前記一対の天板が前記展開された状態を保持するためのロック機構とを有し、前記天板は、前記展開された状態で、平台状の陳列台の天板として機能し、前記折畳まれた状態で、前記ブラケットを支持するブラケット支持板として機能する」ものである。
【００２０】
本発明の物品陳列機構によれば、一台の物品陳列機構を用いて２種類の物品陳列形態を提供できる。また、天板折畳み機構が一連のリンク機構によって構成されていることにより、一人でも簡単且つ迅速に変形作業を実行できるため、販売形態の変更に対して臨機応変に対応できる。さらに、天板上に物品のこぼれ防止柵も装着できるため、平台状形態時において、大量の物品を安定して、且つこぼれ落とすことなく展示することが可能となる。また、同形態時において、ブラケット支持部材が天板に埋設されていることにより、天板の表面に凹凸がなく、展示者や閲覧者の手または物品などが引っかからないため、平台として非常に使いやすい。一方、棚状形態時においては、ブラケット支持部材が両方の天板に備えられていること、及びブラケットを装着させる被装着孔が複数穿設されていることにより、複数の物品展示部材（棚板等）を装着させることができ、一台の陳列機構において展示できる物品の量が比較的多い。さらに、陳列形態の自由度も高いため、棚状陳列機構としての使い勝手も非常に良い。また、ロック機構が備えられているため、比較的安定して展開状態を保持できる。
【発明の効果】
【００２１】
このように、本発明の物品陳列機構によれば、一台の物品陳列機構を用いて２種類の物品陳列形態を提供できるため、時期的に使用しない形態の陳列機構を倉庫などに保管しておく必要がない。従って、倉庫の省スペース化に貢献できる。また、天板折畳み機構が一連のリンク機構によって構成されていることにより、一人でも簡単且つ迅速に変形作業を実行でき、販売形態の変更に臨機応変に対応できる。
【発明を実施するための最良の形態】
【００２２】
以下、本発明の一実施形態である物品陳列機構について、図１乃至図５に基づき説明する。図１は、平台状形態時を示す正面図及び側面図であり、図２は、棚状形態時を示す正面図及び側面図であり、図３は、天板折畳み機構の要部を示す拡大図であり、図４は、天板折畳み機構の各連結部の動作を模式的に表した図であり、図５は、棚板の取り付け方法を示す説明図である。
【００２３】
本発明の物品陳列機構１は、一台の物品陳列機構１を変形させることによって、平台状形態（図１参照）及び棚状形態（図２参照）の２つの物品陳列状態を形成する。基本的な構成としては、図１及び図２に示すように、一対の天板４、一対の脚部５、及び天板折畳み機構６から構成される。
【００２４】
天板４は、平台状形態においては、図１に示すように物品を載置させる天板として機能し、棚状形態においては、図２に示すように棚板１６（後述する）の背面に位置するブラケット支持板として機能するものである。略等しい形状の２枚の板材を一対に組み合わせることで構成されており、材質としては、特に限定されるものではなく、例えば、金属や合成樹脂等を用いて構成しても良いが、本実施例においては、合成樹脂，塗料，紙布類などの材料を台板合板の表面にオーバーレイ加工した合成樹脂化粧合板が適用されている。天板４の表面側には、図２（ａ）を正面視とした場合における左右端部付近に、一対のブラケット支持部材７（図２参照）が埋設されており、ブラケット支持部材７には、ブラケット等を係止させるための複数の被係止孔２１が穿設されている。また、平台状形態においてこぼれ防止柵８を装着させるための柵装着部９が形成されている。
【００２５】
脚部５は、天板４を支持するものであり、図１（ｂ）を正面視とした場合における左右端部付近に、一対で備えられている。本実施例においては、図１（ａ），（ｂ）に示すように、一対の脚部５が二組（すなわち４脚）備えられているが、この構成に限定されるものではなく、２脚であってもよいし、６脚以上であっても良い。脚部５の下端部には、車輪１０が軸支されており、物品陳列機構１を円滑に移動させることが可能となっている。
【００２６】
図１に示すように、天板折畳み機構６は、一対の天板４が平台状に展開された状態（以下、「展開状態」と云う）で水平状態を保持できるよう支持し、且つ、展開状態及び一対の天板４が二つ折りに折畳まれた状態（以下、「折畳み状態」と云う）で脚部５を鉛直な状態に保持するものである。主な構成としては、一対の天板連結部材１１、第一ステー部材１２、一対の第二ステー部材１３、及び一対の第三ステー部材１４が挙げられる。
【００２７】
天板連結部材１１は、脚部５、第一ステー部材１２、及び第三ステー部材１４と天板４とを連結するためのブラケットとして機能するものであり、一対の天板４に対して夫々ネジ止めや接着剤等適宜の固着手段によって固着されている。そして、一対の天板連結部材１１が、連結部Ａにおいて互いに展開可能に連結されているため、天板連結部材１１の展開動作に伴い、一対の天板４が展開される構成となっている。なお、連結部Ａは、一対の天板４が水平な状態で展開された際に接触する接点Ｘ（図３（ａ）参照）よりも下方に構成されている。また、一対の脚部５が、連結部Ｂにおいて回動自在に連結されている。
【００２８】
第一ステー部材１２は、鉛直方向に伸縮するよう構成されたリンクアームであり、一端側が連結部Ａに、他端側が連結部Ｆ（後述する）に回動自在に連結されている。スライド部材１２ａとガイド部材１２ｂとで構成されており、ガイド部材１２ｂに対してスライド部材１２ａが摺動することにより、第一ステー部材１２全体が伸縮する。スライド部材１２ａを摺動させる機構としては、特に限定されるものではないが、本例においては、パイプ状鋼材から成るスライド部材１２ａの中に、柱状鋼材で構成されるガイド部材１２ｂを内包させ、ガイド部材１２ｂの一端側を固定した状態でスライド部材１２ａを抜き差しするよう摺動させることで、スライド部材１２ａをガイド部材１２ｂに沿って直線的にスライドさせるものである。
【００２９】
第二ステー部材１３は、天板４の展開状態及び折畳み状態において、第一ステー部材１２との協働で脚部５を略平行且つ鉛直に保持する一対のリンクアームであり、一端側が、連結部Ｃにおいてスライド部材１２ａに回動自在に連結され、他端側が、連結部Ｄにおいて脚部５に回動自在に連結されている。ここで、連結部Ｂから連結部Ｄまでの長さと、連結部Ａから連結部Ｃまでの長さは、略等しくなるよう構成されている。
【００３０】
第三ステー部材１４は、天板４の展開状態において、第一ステー部材１２との協働で天板４を水平な状態に維持し、且つ、天板４の折畳み状態において、第一ステー部材１２及び第二ステー部材１３との協働で、天板４を略鉛直な状態で保持する一対のリンクアームである。一端側が、連結部Ｅにおいて、天板連結部材１１に回動自在に連結され、他端側は、連結部Ｆにおいて、第一ステー部材１２に回動自在に連結されている。連結部Ｆには、天板４の展開状態を保持し、且つ展開状態から折畳み状態への変形作業を補助する機能を有するロック機構１５の操作部１７が備えられている。具体的には、第一ステー部材１２に内蔵された図略のスプリング機構を、押し縮めた状態で保持するストッパーとして機能し、さらに、操作部１７を操作すると、ストッパーが解除されてスプリング機構が伸び、第一ステー部材１２のスライド部材１２ａを上方に付勢してスライドさせ、連結部Ａ及び連結部Ｃを上方に押し上げる機能を有するものである。
【００３１】
なお、図１に示すように、平台状形態においては、こぼれ防止柵８が天板４上に取り付けられている。こぼれ防止柵８は、天板４上に載置された物品がこぼれ落ちるのを防止するものであり、構成としては、天板４上を取り囲むことのできるものであれば如何なるものであっても良いが、本例では、４枚の柵板が、夫々天板４上の４辺を取り囲むように取り付けられているものを例示している。一方、棚状形態においては、図２に示すように、こぼれ防止柵８が取り外され、ブラケット支持部材７に複数のブラケットを介して棚板１６が取り付けられている。棚板１６は、ガラスや合成樹脂、木材、及び金属等適宜の材料からなる略長方形の板材から構成されている。なお、棚板１６が、本発明の「物品展示部材」に該当する。
【００３２】
続いて、本発明の物品陳列機構１の使用方法について説明する。まず、図１に示す平台状形態から、図２に示すような棚状形態に変形する際は、天板４上からこぼれ防止柵８を取り外し、天板４を片手で押さえながら、ロック機構１５の操作部１７を右に回して緩め（図３（ａ））、手前に引く。これにより、ロック機構１５に内蔵されているストッパーが解除され、図略のスプリング機構の付勢力によってスライド部材１２ａが上方に押し上げられる（図３（ｂ））。
【００３３】
図４は、連結部Ａ乃至連結部Ｆの動作を模式的に表した図であり、図４（ａ）は展開状態、図４（ｂ）は展開状態から折畳み状態への移行状態を示している。ロック機構１５を解除することで、スライド部材１２ａが上方に付勢されると、天板連結部材１１は、第三ステー部材１４によってガイド部材１２ｂに連結されているため、連結部Ｅから連結部Ｆの長さが一定に保たれた状態で、連結部Ａが上方に押し上げられる。このため、図４（ｂ）に示すように、連結部Ｅを支点にして連結部Ａが鉛直上方向（矢印Ｑ）に上昇し、天板４が斜めに傾斜していく。換言すれば、連結部Ｂは、連結部Ａよりも下方に、且つ水平距離が近い方向（矢印Ｐに示す連結部Ａに近づく方向）へと移動する。すなわち、天板４は、第一ステー部材１２と第三ステー部材１４との協働で、水平な展開された状態から略垂直な折畳まれた状態へと移行し、保持される。
【００３４】
また、この状態において、脚部５は、第二ステー部材１３によってスライド部材１２ａに連結されているため、連結部Ｃから連結部Ｄの長さが一定に保たれ状態で、連結部Ｃが上方に押し上げられる。このため、連結部Ｄは連結部Ｂとの位置関係を変えることなく、連結部Ｃよりも下方に、且つ水平距離が近い方向（連結部Ｃに近づく方向）へと移動する。すなわち、脚部５は、天板４が展開状態から折畳み状態へと移行した場合でも、第一ステー部材１２、第二ステー部材１３、及び第三ステー部材１４の協働で鉛直な状態が保持されており、且つ、天板４が折畳まれるに従って、一対の脚部５が互いに近づく方向に移動する。
【００３５】
このようにして、一対の天板４を、連結部Ａを中心にして二つ折りに折畳み、略水平な状態から略垂直な状態へと移行させる。そして、一方の天板４に埋設されたブラケット支持部材７に、複数の棚板１６を装着することで、棚状陳列機構として利用可能となる。なお、棚板１６は、背面側に被係止孔２１に挿入させる係止部などが一体的に形成された物を適用し、ブラケット支持部材７の被係止孔２１に直接取り付けるものであっても良いが、本例では、図５に示すように、ブラケット１８を介して取り付ける構成を例示している。ブラケット１８の構成としては、被係止孔２１に係止させる係止部と、棚板１６を支持する部位とを有するものであれば特に限定されるものではないが、棚板１６とブラケット１８との摩擦力を高める滑り止め１９を配置したり、棚板１６の位置決めをさせる係止部２０などを設けると、より安定して棚板１６を載置できるため、より好適である。
【００３６】
一方、図２に示すような棚状形態から、図１に示す平台状形態へと変形させる場合は、棚板１６及びブラケット１８を取り外し、連結部Ａを押し下げ、連結部Ｂを持ち上げるようにして、一対の天板４を、連結部Ａを中心に展開させる。なお、連結部Ａは、接点Ｘよりも下方に構成されているため、一対の天板４が略水平な状態まで展開されると、図３（ｂ）に示すように一対の天板４の接点Ｘ同士が接触して干渉し、それ以上展開されない。この状態においては、一対の脚部５は、第二ステー部材１３によって略平行な状態が保持されており、天板４は、第一ステー部材１２、第二ステー部材１３、及び第三ステー部材１４の協働で、水平な状態が保持される。また、天板４を水平状態まで展開すると、ロック機構１５が有するストッパーによって、図略のスプリング機構が押し縮められた状態に保持される。そして、天板４上の柵装着部９にこぼれ防止柵８を取り付けて、平台状の物品陳列機構１として利用可能となる。
【００３７】
以上のように、本例の物品陳列機構１によれば、一台の物品陳列機構１を用いて、平台状形態と棚状形態との２種類の物品陳列形態をとることができる。従って、時期的に使用しない形態の陳列機構を倉庫などに保管しておく必要がなく、倉庫の省スペース化及び資材管理の簡略化を図ることができる。また、天板折畳み機構６は、第一ステー部材１２、第二ステー部材１３、及び第三ステー部材１４の一連のリンク機構から構成されているため、工具等を用いることなく変形作業を行うことができ、且つ、比較的力も要しないため、一人でも迅速に変形作業が行える。よって、臨機応変な販売形態の変更にも、容易に且つ迅速に対応することができる。
【００３８】
また、一対の天板４の両方にブラケット支持部材７が備えられているため、片方の天板４のみにブラケット支持部材７が備えられている場合に比べ、一台の物品陳列機構１において展示できる物品の量が増大する。さらに、ブラケット支持部材７には、ブラケット１８を装着させる被係止孔２１が複数設けられている。よって、この複数の被係止孔２１のうち、任意の被係止孔２１にブラケット１８を装着させるという比較的簡単な方法で、棚板１６の設置高さを自由に調節できる。
【００３９】
また、本例の物品陳列機構１においては、ブラケット支持部材７が天板４内に埋設され、且つ、棚板１６を係止するための装着部は被係止孔２１であるため、平台状形態において、天板４上に部材が突出することなく、滑らかである。従って、物品を展示または取り出す際に邪魔なものがなく、展示者及び閲覧者（顧客など）の双方にとって便利である。さらに、天板４上には、柵装着部９も設けられているため、こぼれ防止柵８を取り付けることも可能であり、より大量の物品を、安定して載置することができる。
【００４０】
また、本例の物品陳列機構１では、ロック機構１５が備えられているため、正規の操作（操作部１７を回転させてストッパーを解除する）以外の方法で、天板４が折畳まれる可能性が少ない。例えば、平台状形態において、天板４の端面（図１（ａ）における左右端部側）に子供がぶら下がったような場合は、連結部Ｂが押し下げられ、連結部Ａに鉛直上方向の力が加わることが考えられるが、このような場合においても、ロック機構１５のストッパーによってスプリング機構が推し縮められた状態を保持されているので、スライド部材１２ａが上昇し難い。従って、比較的安定して展開状態を保持できる。
【００４１】
以上、本発明について好適な実施形態を挙げて説明したが、本発明はこれらの実施形態に限定されるものではなく、以下に示すように、本発明の趣旨を逸脱しない範囲において種々の改良及び設計の変更が可能である。
【００４２】
上記実施形態においては、一方の天板４に複数の棚板１６を取り付ける構成を例示したが、この構成に限定されるものではなく、一枚の棚板１６のみを装着させても良いし、両方の天板４に棚板１６を装着させても良い。例えば、図６に示すように、一方の天板４には二枚の棚板１６を装着させ、他方の天板４にはそれ以上（図では５枚）の棚板１６を装着させる構成などが例示できる。このように構成することで、サイズの異なる物品を、一台の物品陳列機構１に自由に配置することができ、物品レイアウトの幅が広がる。
【００４３】
また、上記実施形態においては、棚板１６とブラケット１８とが別体であるものを例示したが、接着剤等を用いて棚板１６にブラケット１８を固着させたものであっても良いし、棚板１６とブラケット１８とが一体的に形成されたものを用いても良い。要するに、棚板支持部材１７に対して棚板１６を取り付けることのできる構成であれば、如何なるものであっても良い。さらに、棚板１６がブラケット支持部材７とは別体である構成を例示したが、この構成に限定されるものではなく、ブラケット支持部材７に対して折畳み可能に据え付けられた棚板１６を適用し、棚板１６が、平台状形態には折畳まれ、棚状形態には展開されて使用される構成としても良い。ただし、上記の実施形態のように、棚状状形態時３に、棚板支持部材１７に対して棚板１６等を取り付ける構成とすると、比較的複雑な加工を要することなく天板４を構成することができ、且つ棚板取り付け作業も簡単であるからより好適である。
【００４４】
また、上記実施形態においては、ブラケット支持部材７には、ブラケット１８及び棚板１６を取り付ける構成を例示したが、この構成に限定されるものではなく、図７に示すように、ハンガーブラケット３０（本発明の「ブラケット」に該当する）及びハンガーパイプ３１（本発明の「物品展示部材」に該当する）を取り付ける構成としても良い。この構成によれば、棚状形態に、ハンガーパイプ３１に衣服のハンガー等を係止させることにより、ハンガーラック状の陳列機構としても利用することができる。また、ハンガーブラケット３０とブラケット１８とを同じ天板４に取り付け、ハンガーラック兼陳列棚として利用しても良く、組み合わせは使用者の任意により自由に設定可能である。
【図面の簡単な説明】
【００４５】
【図１】本発明の物品陳列機構の平台状形態を示す正面図及び側面図である。
【図２】物品陳列機構の棚状形態を示す正面図及び側面図である。
【図３】天板折畳み機構の要部を示す拡大図である。
【図４】天板折畳み機構の各連結部の動作を模式的に表した説明図である。
【図５】棚板の取り付け方法を示す説明図である。
【図６】物品陳列機構の棚状形態における別の使用形態を示す側面図である。
【図７】物品陳列機構の棚状形態における別の使用形態を示す説明図である。
【符号の説明】
【００４６】
１  物品陳列機構
４  天板
５  脚部
６  天板折畳み機構
７  ブラケット支持部材
８  こぼれ防止柵
９  柵装着部
１１  天板連結部材
１２  第一ステー部材
１３  第二ステー部材
１４  第三ステー部材
１５  ロック機構
１６  棚板（物品展示部材）
１８  ブラケット
２１  被係止孔
３０  ハンガーブラケット（ブラケット）
３１  ハンバーパイプ（物品展示部材）
【図１】
2006217992.tif 000003
【図２】
2006217992.tif 000004
【図３】
2006217992.tif 000005
【図４】
2006217992.tif 000006
【図５】
2006217992.tif 000007
【図６】
2006217992.tif 000008
【図７】
2006217992.tif 000009